(57)【要約】【課題】インク跳ねや記録ヘッドの汚染を防止し、且つ、高精度な記録が可能なインクジェット記録装置を提供すること。【解決手段】本発明は、搬送される記録媒体Ｘに対しインクジェット方式にて記録するインクジェット記録装置１００において、記録媒体Ｘを案内するための案内ロールＲと、負の電荷を帯電した記録媒体Ｘと、該記録媒体Ｘにインクを吹き付けるための複数の記録ヘッド１ａ，２ａ，３ａ，４ａからなる記録部１，２，３，４と、該記録ヘッド１ａ，２ａ，３ａ，４ａを支持するための導電性フレーム部１１と、を備え、記録ヘッド１ａ，２ａ，３ａ，４ａと導電性フレーム部１１とが導通関係にあり、記録ヘッド１ａ，２ａ，３ａ，４ａが導電性フレーム部１１を介して接地されているインクジェット記録装置１００である。【選択図】図１
2018183899.tif 000002
【特許請求の範囲】
【請求項１】
搬送される記録媒体に対しインクジェット方式にて記録するインクジェット記録装置において、
前記記録媒体を案内するための案内ロールと、
負の電荷を帯電した前記記録媒体と、
該記録媒体にインクを吹き付けるための複数の記録ヘッドからなる記録部と、
該記録ヘッドを支持するための導電性フレーム部と、
を備え、
前記記録ヘッドと前記導電性フレーム部とが導通関係にあり、
前記記録ヘッドが前記導電性フレーム部を介して接地されているインクジェット記録装置。
【請求項２】
前記記録ヘッドにコネクタを介して連結され、該記録ヘッドの駆動を制御するための基板を更に備え、
前記導電性フレーム部が、前記基板とメイン導電線で連結され、
前記記録ヘッドが、前記導電性フレーム部、前記メイン導電線及び前記基板を介して接地されている請求項１記載のインクジェット記録装置。
【請求項３】
前記記録ヘッドが、前記基板とサブ導電線で直接連結されている請求項２記載のインクジェット記録装置。
【請求項４】
前記記録媒体に電荷を付与するための上流側イオン発生機を更に備え、
前記記録媒体の搬送経路において、前記上流側イオン発生機が、前記記録部よりも上流側に位置している請求項１〜３のいずれか１項に記載のインクジェット記録装置。
【請求項５】
前記上流側イオン発生機が、前記記録媒体の記録面側に配置されており、且つ
前記記録媒体に負の電荷を付与するためのものである請求項４記載のインクジェット記録装置。
【請求項６】
前記記録媒体の搬送経路に沿って前記記録部を複数備え、
該記録部同士の間の前記記録媒体の裏面側に、前記記録媒体に負の電荷を付与するための中間イオン発生機を更に備える請求項４又は５に記載のインクジェット記録装置。
【請求項７】
前記記録媒体の裏面側に、前記記録媒体の帯電圧を測定するための静電気センサーを更に備える請求項４〜６のいずれか１項に記載のインクジェット記録装置。
【請求項８】
前記記録媒体の搬送経路において、前記案内ロールが前記上流側イオン発生機と前記記録部との間に配置されており、
前記静電気センサーが、前記案内ロールより下流側に配置されている請求項７記載のインクジェット記録装置。
【請求項９】
前記静電気センサーが、前記記録部の対向する位置に配置されている請求項７又は８に記載のインクジェット記録装置。
【請求項１０】
前記静電気センサーが、前記記録媒体の幅方向に複数配置されている請求項７〜９のいずれか１項に記載のインクジェット記録装置。
【請求項１１】
請求項７〜１０のいずれか１項に記載のインクジェット記録装置を用いた記録方法であって、
前記上流側イオン発生機が、前記記録媒体に負の電荷を付与する帯電工程と、
前記記録部が、負の電荷が付与された前記記録媒体にインクを吹き付ける記録工程と、
前記静電気センサーが前記記録媒体の帯電圧を測定する測定工程と、
前記帯電圧に基づいて、前記上流側イオン発生機が付与する電荷量を調整する調整工程と、
を備え、
前記帯電工程、前記記録工程、前記測定工程及び前記調整工程を繰り返し行う記録方法。
【発明の詳細な説明】
【技術分野】
【０００１】
本発明は、インクジェット記録装置及びそれを用いた記録方法に関し、更に詳しくは、インク跳ねや記録ヘッドの汚染を防止し、且つ、高精度な記録が可能なインクジェット記録装置及びそれを用いた記録方法に関する。
【背景技術】
【０００２】
インクジェット記録装置は、インクを、搬送される記録媒体に吹き付けて記録する装置である。
ところで、インクジェット記録装置においては、記録媒体を搬送させる際に、記録媒体が、案内ロールや装置の一部と擦れ合うことで、一方から他方に電荷が移動して電位差が生じ、記録媒体にいわゆる摩擦電気（以下「静電気」ともいう。）が帯電する恐れがある。
そうすると、記録ヘッドから吹き付けられたインク滴の一部がその静電気の影響を受けることにより、インク跳ねが生じて、インクジェット記録の精度を著しく低下させる恐れがある。
【０００３】
これに対し、インクジェット記録装置における静電気の影響を取り除くため、様々な技術が開発されている。
例えば、表面電位測定手段によって、帯電吸着ベルト上の記録シートの表面電位を測定し、その測定結果に応じて、制御手段がブラシ状電極の可変電源の出力電圧を制御することによって、記録ヘッドと記録シートの表面との間の電位差を小さく抑えることができるインクジェット記録装置が知られている（例えば、引用文献１参照）。
また、搬送ベルトの内部に、静電吸着力を生じさせるための導電パターンの他に、記録ヘッドとほぼ同電位に保たれる導電パターンを設けることにより、記録ヘッドの吐出口と用紙との間に電界が生じないようにしたインクジェット記録装置が知られている（例えば、特許文献２参照）。かかるインクジェット記録装置においては、吐出された液滴が主滴とサテライトに分離してもこれらの間に分極が生じないようにでき、サテライトは主滴とともに用紙へ向かうことが可能となる。
また、被記録媒体をセットするセット部と、被記録媒体にインクを吐出するヘッド部と、被記録媒体の搬送経路においてセット部とヘッド部との間に設けられた被記録媒体を搬送する搬送ローラー部と、搬送ローラー部により搬送される被記録媒体の記録面側であって搬送ローラー部とヘッド部との間に向けて送風する送風部と、送風部による送風経路において送風部と被記録媒体の記録面側との間に設けられるイオン発生部と、を備える記録装置が知られている（例えば、特許文献３参照）。かかる記録装置においては、イオン発生部で発生したイオンを被記録媒体に届けることにより、被記録媒体を搬送する搬送ローラー部による剥離帯電を抑制することができる。
【先行技術文献】
【特許文献】
【０００４】
【特許文献１】特開平０５−３３００３４号公報
【特許文献２】特開平１１−２４５３８９号公報
【特許文献３】特開２０１５−５８６１９号公報
【発明の概要】
【発明が解決しようとする課題】
【０００５】
しかしながら、上記特許文献１記載のインクジェット記録装置においては、記録ヘッドと記録媒体との間に生じる電界を無くすことはできないため、インク跳ねを十分に防止できるとはいえない。
上記特許文献２記載のインクジェット記録装置においては、電界を生じないようにすることにより、サテライトを用紙に向かわせているが、その一方で、記録ヘッドの吐出口の両側で生じる逆向きの電界により、浮遊するインクミスト等が記録ヘッドのノズル面やその周辺に付着して記録ヘッドを汚染させる恐れがある。この場合、その汚染が記録ヘッドの吐出不良を引き起こす原因となる。
上記特許文献３記載の記録装置においては、送風部からヘッド部の下部に気流が送風されるため、ヘッド部から吐出されるインクの飛翔軌道が狂い、画像が乱れる恐れがある。
【０００６】
本発明は上記事情に鑑みてなされたものであり、インク跳ねや記録ヘッドの汚染を防止し、且つ、高精度な記録が可能なインクジェット記録装置を提供することを目的とする。
【課題を解決するための手段】
【０００７】
本発明者らは、上記課題を解決するため鋭意検討したところ、記録媒体に積極的に負の電荷を帯電させるものとし、一方で、記録ヘッドを、導電性フレーム部を介して接地することにより、上記課題を解決し得ることを見出し、本発明を完成するに至った。
【０００８】
本発明は、（１）搬送される記録媒体に対しインクジェット方式にて記録するインクジェット記録装置において、記録媒体を案内するための案内ロールと、負の電荷を帯電した記録媒体と、該記録媒体にインクを吹き付けるための複数の記録ヘッドからなる記録部と、該記録ヘッドを支持するための導電性フレーム部と、を備え、記録ヘッドと導電性フレーム部とが導通関係にあり、記録ヘッドが導電性フレーム部を介して接地されているインクジェット記録装置に存する。
【０００９】
本発明は、（２）記録ヘッドにコネクタを介して連結され、該記録ヘッドの駆動を制御するための基板を更に備え、導電性フレーム部が、基板とメイン導電線で連結され、記録ヘッドが、導電性フレーム部、メイン導電線及び基板を介して接地されている上記（１）記載のインクジェット記録装置に存する。
【００１０】
本発明は、（３）記録ヘッドが、基板とサブ導電線で直接連結されている上記（２）記載のインクジェット記録装置に存する。
【００１１】
本発明は、（４）記録媒体に電荷を付与するための上流側イオン発生機を更に備え、記録媒体の搬送経路において、上流側イオン発生機が、記録部よりも上流側に位置している上記（１）〜（３）のいずれか１項に記載のインクジェット記録装置に存する。
【００１２】
本発明は、（５）上流側イオン発生機が、記録媒体の記録面側に配置されており、且つ記録媒体に負の電荷を付与するためのものである上記（４）記載のインクジェット記録装置に存する。
【００１３】
本発明は、（６）記録媒体の搬送経路に沿って記録部を複数備え、該記録部同士の間の記録媒体の裏面側に、記録媒体に負の電荷を付与するための中間イオン発生機を更に備える上記（４）又は（５）に記載のインクジェット記録装置に存する。
【００１４】
本発明は、（７）記録媒体の裏面側に、記録媒体の帯電圧を測定するための静電気センサーを更に備える上記（４）〜（６）のいずれか１つに記載のインクジェット記録装置に存する。
【００１５】
本発明は、（８）記録媒体の搬送経路において、案内ロールが上流側イオン発生機と記録部との間に配置されており、静電気センサーが、案内ロールより下流側に配置されている上記（７）記載のインクジェット記録装置に存する。
【００１６】
本発明は、（９）静電気センサーが、記録部の対向する位置に配置されている上記（７）又は（８）に記載のインクジェット記録装置に存する。
【００１７】
本発明は、（１０）静電気センサーが、記録媒体の幅方向に複数配置されている上記（７）〜（９）のいずれか１つに記載のインクジェット記録装置に存する。
【００１８】
本発明は、（１１）上記（７）〜（１０）のいずれか１つに記載のインクジェット記録装置を用いた記録方法であって、上流側イオン発生機が、記録媒体に負の電荷を付与する帯電工程と、記録部が、負の電荷が付与された記録媒体にインクを吹き付ける記録工程と、静電気センサーが記録媒体の帯電圧を測定する測定工程と、帯電圧に基づいて、上流側イオン発生機が付与する電荷量を調整する調整工程と、を備え、帯電工程、記録工程、測定工程及び調整工程を繰り返し行う記録方法に存する。
【発明の効果】
【００１９】
本発明のインクジェット記録装置においては、記録ヘッドを、導電性フレーム部と導通関係にあるものとし、且つ、記録ヘッドを、導電性フレーム部を介して接地することで、記録ヘッド内を流通するインクの帯電圧も０Ｖとすることができる。
そして、インクジェット記録装置においては、記録媒体として負の電荷を帯電しているものを積極的に採用することにより、記録ヘッドと記録媒体との間に電位差を生じさせることができる。
これらのことにより、インクジェット記録装置においては、記録ヘッドと記録媒体との間に静電気力が生じ、電位の高い記録ヘッドから電位の低い記録媒体に向かう電界を生じさせることができる。
【００２０】
その結果、インクジェット記録装置においては、負の電荷を帯電した記録媒体に対し、帯電圧が０Ｖのインクが吹き付けられることにより、インクが記録媒体に引き付けられることになるため、インク跳ね防止することができる。
また、記録ヘッドから吹き付けられるインクの飛翔軌道が狂うことなく、高精度な記録が可能となる。
さらに、記録ヘッドの両側においても同様に、浮遊するインクミスト等が記録媒体に引き付けられることになるため、記録ヘッドの汚染を防止することができる。
【００２１】
本発明のインクジェット記録装置においては、記録ヘッドを、導電性フレーム部、メイン導電線及び基板を介して接地することにより、記録ヘッド及び導電性フレーム部に加えて、基板も帯電圧を０Ｖとすることができる。これにより、上記効果に加え、基板の感電も同時に抑制することができる。
また、導電性フレーム部を直接接地するよりも、基板を介することで、配線をシンプルにすることができると共に、静電気や電気的過電圧（雷）等による基板の破損を防止することができる。
【００２２】
本発明のインクジェット記録装置においては、記録ヘッドを、接地された基板とサブ導電線で直接連結させることにより、２つの経路で接地されることになるので、より確実に帯電圧を０Ｖとすることができる。
【００２３】
本発明のインクジェット記録装置においては、記録部よりも上流側に上流側イオン発生機を備えることにより、記録ヘッドがインクを吹き付ける前に、記録媒体が適度な負の電荷を帯電するように、記録媒体の電荷を調整することが可能となる。
具体的には、上流側イオン発生機が、記録媒体の記録面側に配置されており、且つ記録媒体に負の電荷を付与するためのものである場合、用いる記録媒体が負の電荷を帯電していない場合であっても、記録ヘッドがインクを吹き付ける前に、負の電荷を付与することができる。
したがって、この場合、帯電圧や帯電極性が異なる記録媒体を用いる場合であっても、それに対応して、適度な負の電荷を帯電した記録媒体とすることが可能となる。
【００２４】
本発明のインクジェット記録装置においては、記録部同士の間の記録媒体の裏面側に、記録媒体に負の電荷を付与するための中間イオン発生機を更に備える場合、記録ヘッドによる記録媒体へのインクの吹き付けや記録媒体の案内ロールや装置の一部との擦れに起因し搬送中の記録媒体の電荷に変化が生じたとしても、中間イオン発生機が負の電荷を付与することにより、再び、適度な負の電荷を帯びた記録媒体とすることができる。
【００２５】
本発明のインクジェット記録装置においては、記録媒体の裏面側に、記録媒体の帯電圧を測定するための静電気センサーを更に備えることにより、搬送される記録媒体が帯びる電荷の状態を監視することができる。
また、記録媒体の搬送経路において、案内ロールが上流側イオン発生機と記録部との間に配置されている場合は、静電気センサーを案内ロールより下流側に配置することにより、記録媒体が案内ロールと擦れ合うことによる記録媒体の電荷への影響（電荷の変化等）を監視することができる。
さらに、静電気センサーは、記録部の対向する位置に配置されていることがより好ましい。この場合、記録ヘッドがインクを吹き付ける直前又は直後の記録媒体の電荷の状態を監視することができる。
なお、インクジェット記録装置においては、静電気センサーを記録媒体の幅方向に複数配置することにより、記録媒体の全体に渡って電荷の状態を監視することができる。
【００２６】
本発明の記録方法においては、帯電工程及び記録工程を備えることにより、インクが記録媒体に引き付けられることになるため、インク跳ねや記録ヘッドの汚染を防止することができ、高精度な記録も可能となる。
また、測定工程及び調整工程を更に備え、帯電工程、記録工程、測定工程及び調整工程を繰り返し行うことにより、記録媒体の電荷の変化にも対応して安定した記録を継続することが可能となる。
【図面の簡単な説明】
【００２７】
【図１】図１は、本発明に係るインクジェット記録装置の一実施形態を示す概略側面図である。
【図２（ａ）】図２（ａ）は、本実施形態に係るインクジェット記録装置の第１記録部を概略的に示す一部透過斜視図である。
【図２（ｂ）】図２（ｂ）は、図２（ａ）のＡ−Ａ線で切断した部分断面図である。
【図３】図３は、本実施形態に係るインクジェット記録装置の記録部に対する静電気センサーの位置を説明するための記録部の下方から見た説明図である。
【図４】図４は、本実施形態に係るインクジェット記録装置によるインクの吹き付け状態を説明するための説明図である。
【図５】図５は、本実施形態に係るインクジェット記録装置を用いた記録方法を示すフローチャートである。
【図６】図６は、一定の帯電圧を有する記録媒体を、搬送しながら記録した場合の帯電圧の変化を示すグラフである。
【図７】図７は、本実施形態に係るインクジェット記録装置を用いた記録方法における上流側イオン発生機の制御方法を示すフローチャートである。
【図８】図８は、本実施形態に係るインクジェット記録装置を用いた記録方法における中間イオン発生機の制御方法を示すフローチャートである。
【図９】図９は、他の実施形態に係るインクジェット記録装置を示す概略側面図である。
【図１０】図１０は、他の実施形態に係るインクジェット記録装置の記録部に対する静電気センサーの位置を説明するための記録部の下方から見た説明図である。
【発明を実施するための形態】
【００２８】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２９】
本発明に係るインクジェット記録装置は、搬送される記録媒体に対し、記録ヘッドからインクを吹き付けて記録するための装置である。
上記インクジェット記録装置において、インクとしては、特に限定されず、市販のものを適宜採用することができる。具体的には、例えば、水性染料、水性顔料、油性染料、油性顔料等が挙げられる。
また、記録媒体としては、特に限定されず、市販のものを適宜採用することができる。具体的には、例えば、紙、布帛、フィルム等が挙げられる。
【００３０】
図１は、本発明に係るインクジェット記録装置の一実施形態を示す概略側面図である。
図１に示すように、本実施形態に係るインクジェット記録装置１００は、記録媒体Ｘを案内するための複数の案内ロールＲと、負の電荷を帯電した記録媒体Ｘと、記録媒体Ｘにインクを吹き付けるための複数の記録ヘッドからなる記録部１，２，３，４と、記録部１，２，３，４を収容する筐体Ｈと、記録ヘッドを支持するための図示しない導電性フレーム部と、記録ヘッドにコネクタを介して連結され、該記録ヘッドの駆動を制御するための図示しない基板と、記録媒体Ｘに負の電荷を付与するための上流側イオン発生機２１と、記録部１，２，３，４同士の間の記録媒体Ｘの裏面側に、記録媒体Ｘに負の電荷を付与するための中間イオン発生機２２と、記録媒体Ｘの裏面側に、記録媒体Ｘの帯電圧を測定するための複数の静電気センサー３１，３２，３３，３４とを備える。
【００３１】
インクジェット記録装置１００においては、複数の案内ロールＲが設けられており、当該案内ロールＲにより、連続する長尺状の記録媒体Ｘが所定の搬送経路を通るように案内されている。
ちなみに、案内ロールＲは、記録媒体Ｘが弛まないように、記録媒体Ｘに一定の張力を付与するように配置されるため、搬送される記録媒体Ｘとの間で擦れ合う事態が生じる。このため、記録媒体Ｘには、一般的に静電気が帯電し易い。
【００３２】
インクジェット記録装置１００において、記録部１，２，３，４は、記録媒体Ｘの搬送経路に沿って４箇所に設けられており、且つ、筐体Ｈに収容されている。
そして、当該記録部１，２，３，４によりインクが記録媒体Ｘに吹き付けられる。
なお、本明細書においては、便宜的に、記録媒体Ｘの搬送経路の最上流側の記録部１を「第１記録部１」といい、その下流側の記録部２を「第２記録部２」といい、その下流側の記録部３を「第３記録部３」といい、最下流側の記録部４を「第４記録部４」という。
【００３３】
図２（ａ）は、本実施形態に係るインクジェット記録装置の第１記録部を概略的に示す一部透過斜視図であり、図２（ｂ）は、図２（ａ）のＡ−Ａ線で切断した部分断面図である。なお、第２記録部２、第３記録部３及び第４記録部４は、使用されるインクが異なる場合があること以外は、第１記録部１と同じ構造であるので、説明を省略する。
図２（ａ）に示すように、第１記録部１は、記録媒体Ｘにインクを吹き付けるための複数の記録ヘッド１ａからなる。
各記録ヘッド１ａは、いわゆる固定式のラインヘッドであり、下面には記録ヘッド１ａの幅方向（記録媒体の幅方向）に沿って、複数のノズルが形成されたノズル部が設けられている。
そして、インクジェット記録装置１００においては、記録ヘッド１ａの幅方向とは垂直方向に記録媒体Ｘを搬送させると共に、記録ヘッド１ａのノズル部からインクを下方に吹き付けることにより、記録媒体Ｘにインクが吹き付けられることになる。
【００３４】
ここで、各記録ヘッド１ａは、その全体が導電性材料から形成されている。このため、記録ヘッド１ａ内の流路を流通し、ノズル部から吹き付けられるインクは、電気的に記録ヘッド１ａと略同電位となる。
【００３５】
各記録ヘッド１ａは、板状の導電性フレーム部１１に支持されている。具体的には、記録ヘッド１ａによる下方へのインクの吹き付けを妨げないように、導電性フレーム部１１に複数設けられたヘッド穴をそれぞれ覆うように、各記録ヘッド１ａが取り付けられている。
そして、導電性フレーム部１１は、各記録ヘッド１ａによる下方へのインクの吹き付けを妨げないように、且つ、筺体Ｈの下板Ｈ１に設けられたフレーム穴を覆うように、下板Ｈ１に取り付け固定されている。
【００３６】
ここで、導電性フレーム部１１は、その全体が導電性材料から形成されている。そして、記録ヘッド１ａと導電性フレーム部１１とは導通関係にある。このため、導電性フレーム部１１と、記録ヘッド１ａと、記録ヘッド１ａから吹き付けられるインクとは電気的に略同電位となる。
なお、導電性フレーム部１１は、記録ヘッド１ａ及び後述のメイン導電線Ｃ１との導通関係を維持することが可能であれば、フレーム部１１に表面処理が施されていてもよい。
【００３７】
図２（ａ）及び図２（ｂ）に示すように、インクジェット記録装置１００においては、導電性フレーム部１１の端部に、導電性ピン等を介して、メイン導電線Ｃ１の一端が取り付けられており、当該メイン導電線Ｃ１の他端が、接地された基板１２に連結されている。
これにより、基板１２と、メイン導電線Ｃ１と、導電性フレーム部１１と、各記録ヘッド１ａと、各記録ヘッド１ａから吹き付けられるインクとは電気的に略同電位となる。
【００３８】
各記録ヘッド１ａは、それぞれ、コネクタ１ｂを介して基板１２に連結されている。
基板１２は、従来のインクジェット記録装置と同様に、コネクタ１ｂ内に形成されている通信用配線を介して、各記録ヘッド１ａの駆動を制御するためのものである。
そして、基板１２は、感電を防止するために接地されている。
【００３９】
インクジェット記録装置１００においては、上述したように、基板１２が接地されているため、記録ヘッド１ａは、導電性フレーム部１１、メイン導電線Ｃ１及び基板１２を介して接地された状態となる。これにより、記録ヘッド１ａ、導電性フレーム部１１及び基板１２の帯電圧を同時に０Ｖとすることができ、更に、記録ヘッド１ａ内を流通し、ノズル部から吹き付けられるインクの帯電圧も０Ｖとすることができる。
このように、インクジェット記録装置１００においては、導電性フレーム部１１を直接接地するよりも、上述したように、基板１２を介することで、配線をシンプルにすることができると共に、静電気や電気的過電圧（雷）等による基板の破損を防止することができる。
【００４０】
また、インクジェット記録装置１００においては、上述したメイン導電線Ｃ１とは別に、記録ヘッド１ａが、基板１２とサブ導電線Ｃ２で直接連結されている。
かかるサブ導電線Ｃ２は、コネクタ１ｂ内に形成された記録ヘッド１ａの駆動を制御するための通信用配線と通電しないように、コネクタ１ｂ内に内蔵されている。
そして、サブ導電線Ｃ２は、一端が記録ヘッド１ａに連結され、他端が接地された基板１２に連結されている。すなわち、記録ヘッド１ａは、コネクタ１ｂに内蔵されたサブ導電線Ｃ２を介して、接地された基板１２と連結されている。
このように、インクジェット記録装置１００においては、記録ヘッド１ａを、メイン導電線Ｃ１及びサブ導電線Ｃ２を介して、接地された基板１２と連結させることにより、２つの経路で接地されることになるので、より確実に記録ヘッド１ａの帯電圧を０Ｖとすることができる。
【００４１】
図１に戻り、インクジェット記録装置１００においては、記録媒体Ｘの搬送経路において、記録部１，２，３，４よりも上流側の記録媒体Ｘの記録面側にイオン発生機２１（以下「上流側イオン発生機２１」ともいう。）が設けられている。
かかる上流側イオン発生機２１は、記録媒体Ｘの幅方向に沿って、複数のノズルが形成されたイオン発生部と、イオン発生部が出力した電荷量を監視するためのセンサーとを有している。なお、当該上流側イオン発生機２１としては、市販のものを適宜採用できるので、詳細な説明は省略する。
インクジェット記録装置１００においては、上流側イオン発生機２１がイオン発生部から負の電荷を記録媒体Ｘに付与することにより、負の電荷を帯電した記録媒体Ｘとすることが可能となっている。
【００４２】
インクジェット記録装置１００においては、記録媒体Ｘが負の電荷を帯電するように、上流側イオン発生機２１から電荷が付与される。すなわち、記録媒体Ｘが電荷を帯電していない場合や正の電荷を帯電している場合は、上流側イオン発生機２１が負の電荷を付与することになる。
【００４３】
このように、インクジェット記録装置１００においては、記録媒体Ｘに負の電荷を付与する上流側イオン発生機２１が、記録部１，２，３，４よりも上流側に設けられているため、記録ヘッドがインクを吹き付ける前に、記録媒体Ｘが適度な負の電荷を帯電するように、記録媒体Ｘの電荷を調整することができる。
【００４４】
インクジェット記録装置１００においては、第１記録部１と第２記録部２との間の記録媒体Ｘの裏面側にイオン発生機２２（以下「中間イオン発生機２２」ともいう。）が設けられている。
かかる中間イオン発生機２２は、記録媒体Ｘの幅方向に沿って、複数のノズルが形成されたイオン発生部２２ａと（図３参照）、イオン発生部２２ａが出力した電荷量を監視するためのセンサーとを有している。なお、当該中間イオン発生機２２としては、市販のものを適宜採用できるので、詳細な説明は省略する。また、上流側イオン発生機２１とは同一のものであっても異なるものであってもよい。
【００４５】
インクジェット記録装置１００においては、中間イオン発生機２２がイオン発生部２２ａから負の電荷を記録媒体Ｘに付与することにより、負の電荷を帯電した記録媒体Ｘとすることが可能となっている。
ここで、記録媒体Ｘが紙であり、その紙厚が１３５ｋｇ／四六以下である場合、表面（記録面）と裏面の静電気帯電は同極且つ同電位となる。なお、四六とは、紙の寸法を示す規格であり、７８８ｍｍ×１０９１ｍｍのサイズを意味する。
したがって、この場合、中間イオン発生機２２が、紙の裏面側に負の電荷を付与することにより、紙の記録面側も負の電荷を有することになる。
なお、紙裏面側の帯電圧を、同位置の紙表面側の帯電圧とすることができるので、記録ヘッド真下等、紙表面側の帯電圧測定が難しい場所は、その位置の紙裏面側の帯電圧を測定すればよい。この場合、静電気センサーを記録ヘッド間に設置するのではなく、記録ヘッドに対向する紙裏面側に設置すればよいので、記録部自体を省スペース化することが可能となる。
【００４６】
このように、インクジェット記録装置１００においては、記録媒体Ｘに負の電荷を付与する中間イオン発生機２２が、第１記録部１と第２記録部２との間に設けられているため、第１記録部１の記録ヘッド１ａによる記録媒体Ｘへのインクの吹き付けや記録媒体Ｘの案内ロールＲや装置の一部との擦れに起因し搬送中の記録媒体Ｘの電荷に変化が生じたとしても、中間イオン発生機２２が負の電荷を付与することにより、再び、適度な負の電荷を帯びた記録媒体Ｘとすることができる。
【００４７】
インクジェット記録装置１００においては、記録媒体Ｘを記録部１側に案内する案内ロール（以下「直前案内ロールＲ１」）を有しており、記録媒体Ｘの搬送経路において当該直前案内ロールＲ１が上述した上流側イオン発生機２１と記録部１との間に配置されている。
そして、直前案内ロールＲ１よりも下流側に、記録媒体Ｘの帯電圧を測定するための複数の静電気センサー３１，３２，３３，３４が配置されている。
【００４８】
インクジェット記録装置１００においては、上流側イオン発生機２１により負の電荷を付与された記録媒体Ｘが、直前案内ロールＲ１と擦れ合うことにより、記録媒体Ｘの電荷に変化が生じる恐れがあるため、直前案内ロールＲ１よりも下流側で静電気センサー３１，３２，３３，３４により、搬送される記録媒体Ｘが帯びる電荷の状態を監視している。
【００４９】
図３は、本実施形態に係るインクジェット記録装置の記録部に対する静電気センサーの位置を説明するための記録部の下方から見た説明図である。
なお、本明細書においては、便宜的に、記録媒体Ｘの搬送経路の最上流側の静電気センサー３１を「第１静電気センサー３１」といい、その下流側の静電気センサー３２を「第２静電気センサー３２」といい、その下流側の静電気センサー３３を「第３静電気センサー３３」といい、最下流側の静電気センサー３４を「第４静電気センサー３４」という。
【００５０】
図３に示すように、インクジェット記録装置１００において、第１静電気センサー３１は、記録媒体Ｘの裏面側の第１記録部１に対向する位置、具体的には、１列目の記録ヘッド１ａと２列目の記録ヘッド１ａとの間に配置され、第２静電気センサー３２は、記録媒体Ｘの裏面側の第２記録部２に対向する位置、具体的には、１列目の記録ヘッド２ａと２列目の記録ヘッド２ａとの間に配置され、第３静電気センサー３３は、記録媒体Ｘの裏面側の第３記録部３に対向する位置、具体的には、１列目の記録ヘッド３ａと２列目の記録ヘッド３ａとの間に配置され、第４静電気センサー３４は、記録媒体Ｘの裏面側の第４記録部４に対向する位置、具体的には、１列目の記録ヘッド４ａと２列目の記録ヘッド４ａとの間に配置されている。
これにより、各記録部１，２，３，４がインクを吹き付ける直前又は直後の記録媒体Ｘの電荷の状態を監視することができる。
【００５１】
また、インクジェット記録装置１００において、第１静電気センサー３１は、記録媒体Ｘの幅方向に沿って中央と両側の３箇所に配置されている。なお、第２静電気センサー３２、第３静電気センサー３３及び第４静電気センサー３４も同様に、それぞれが記録媒体Ｘの幅方向に沿って中央と両側の３箇所に配置されている。
これにより、記録媒体Ｘの全体に渡って電荷の状態を監視することが可能となる。
【００５２】
このように、インクジェット記録装置１００においては、記録媒体Ｘの帯電圧を測定する静電気センサー３１，３２，３３，３４を備えるので、例えば、第１静電気センサー３１が測定した帯電圧に基づいて、上流側イオン発生機２１が記録媒体Ｘに付与する電荷量を調整することができ、第２静電気センサー３２が測定した帯電圧に基づいて、中間イオン発生機２２が記録媒体Ｘに付与する電荷量を調整することができる。なお、このことの詳細については、後述する。
【００５３】
次に、インクジェット記録装置１００におけるインクの吹き付け状態について説明する。
図４は、本実施形態に係るインクジェット記録装置によるインクの吹き付け状態を説明するための説明図である。なお、図４においては、第１記録部１の記録ヘッド１ａを用いて説明しているが、第２記録部２の記録ヘッド２ａ、第３記録部３の記録ヘッド３ａ及び第４記録部４の記録ヘッド４ａにおいても同様の状態となる。
図４に示すように、インクジェット記録装置１００においては、上述したように、記録ヘッド１ａが、少なくとも導電性フレーム部１１を介して接地されているので、記録ヘッド１ａ及び記録ヘッド１ａから吹き付けられるインクは、帯電圧が０Ｖとなっている。
一方、記録媒体Ｘは、上述したように、上流側イオン発生機２１により、負の電荷を帯電している。
したがって、インクジェット記録装置１００においては、記録ヘッド１ａと記録媒体Ｘとの間に電位差があるので静電気力が生じることになる。すなわち、電位の高い記録ヘッド１ａから電位の低い記録媒体Ｘの方向（矢印Ｙの方向）に電界が生じる。
【００５４】
インクジェット記録装置１００においては、記録ヘッド１ａからインクを吹き付けると、メインインク滴４１と、それに続くサテライト４２とが吐出される。なお、この吐出は、通常、高速で連続して行われる。
そして、メインインク滴４１が記録媒体Ｘに着弾すると、飛び散った小滴４３も生じる。
インクジェット記録装置１００においては、上述したような電界が生じているので、メインインク滴４１だけでなく、メインインク滴４１に続いて飛翔するサテライト４２、及び、メインインク滴４１が記録媒体Ｘに着弾したときに飛び散る小滴４３も、記録媒体Ｘに引き付けられることになる。このため、インクジェット記録装置１００によれば、インク跳ねを防止することが可能となる。
また、電界の影響により、メインインク滴４１及びサテライト４２の飛翔軌道も狂わないため、高精度な記録も可能となる。
さらに、記録ヘッド１ａの両側においても同様に、記録媒体Ｘに向けて電界が生じているので、浮遊するインクミスト等は記録媒体Ｘに引き付けられ記録媒体Ｘに付着する。これにより、記録ヘッド１ａを汚染させることを防止することができる。なお、インクミストは、一般に、記録媒体Ｘに付着しても、目視できない程微細なものである。
【００５５】
次に、本発明に係る記録方法について説明する。
図５は、本実施形態に係るインクジェット記録装置を用いた記録方法を示すフローチャートである。
図５に示すように、インクジェット記録装置１００を用いた記録方法は、上流側イオン発生機２１が、記録媒体Ｘに負の電荷を付与する帯電工程Ｓ１と、各記録部１，２，３，４が、負の電荷が付与された記録媒体Ｘにインクを付与する記録工程Ｓ２と、静電気センサー３１，３２，３３，３４が記録媒体Ｘの帯電圧を測定する測定工程Ｓ３と、帯電圧に基づいて、上流側イオン発生機２１が付与する電荷量を調整する調整工程Ｓ４と、を備える。
【００５６】
上記記録方法においては、まず、給紙部から記録媒体Ｘを搬入し、案内ロールＲによって、所定の搬送経路に案内して記録媒体Ｘをセットする。なお、記録前の記録媒体Ｘは、必ずしも負の電荷を帯電していなくてもよい。
【００５７】
そして、記録媒体Ｘを搬送し、記録媒体Ｘの記録を開始する部分（以下「記録開始部」という。）が上流側イオン発生機２１の対面に到達する際に、上流側イオン発生機２１により、負の電荷を付与する（帯電工程Ｓ１）。これにより、少なくとも、記録開始部は、負の電荷を帯電することになる。
なお、上流側イオン発生機２１が付与する電荷量の設定については後述する。
【００５８】
次に、負の電荷を帯電した記録開始部は、直前案内ロールＲ１を経由して、記録部１，２，３，４の下側に案内される。
そして、負の電荷を帯電した記録開始部は、第１記録部１にてインクが吹き付けられる（記録工程Ｓ２）。
また、これと同時に、記録媒体Ｘの裏面側の第１静電気センサー３１により、例えば、第１記録部１による吹き付け直前の記録開始部の帯電圧が測定される（測定工程Ｓ３）。なお、当該帯電圧に基づいて、次に上流側イオン発生機２１が付与する電荷量が調整される（調整工程Ｓ４）。
【００５９】
次に、記録開始部が中間イオン発生機２２の対面に到達する際に、必要に応じて、中間イオン発生機２２により、負の電荷を付与する。これにより、記録開始部は、確実に負の電荷を帯電することになる。
なお、中間イオン発生機２２が付与する電荷量の設定については後述する。
【００６０】
次に、負の電荷を帯電した記録開始部は、第２記録部２にてインクが吹き付けられ（記録工程Ｓ２）、これと同時に、記録媒体Ｘの裏面側の第２静電気センサー３２により、例えば、第２記録部２による吹き付け直前の記録開始部の帯電圧が測定される（測定工程Ｓ３）。
また、負の電荷を帯電した記録開始部は、第３記録部３にてインクが吹き付けられ（記録工程Ｓ２）、これと同時に、記録媒体Ｘの裏面側の第３静電気センサー３３により、例えば、第３記録部３による吹き付け直前の記録開始部の帯電圧が測定される（測定工程Ｓ３）。
また、負の電荷を帯電した記録開始部は、第４記録部４にてインクが吹き付けられ（記録工程Ｓ２）、これと同時に、記録媒体Ｘの裏面側の第４静電気センサー３４により、例えば、第４記録部４による吹き付け直前の記録開始部の帯電圧が測定される（測定工程Ｓ３）。
そして、第２静電気センサー３２、第３静電気センサー３３及び第４静電気センサー３４で測定した帯電圧に基づいて、中間イオン発生機２２の付与する電荷量が調整される（調整工程Ｓ４）
【００６１】
ここで、上流側イオン発生機２１及び中間イオン発生機２２が付与する電荷量について説明する。
図６は、一定の帯電圧を有する記録媒体を、搬送しながら記録した場合の帯電圧の変化を示すグラフである。
図６に示すように、まずは、記録媒体Ｘに適度な負の電荷を帯電させる。なお、このときの帯電圧を、初期帯電圧として設定する。
そして、記録媒体Ｘに対して第１記録部１、第２記録部２、第３記録部３及び第４記録部４で記録を行うと、記録媒体Ｘが上質紙の場合は、帯電圧Ｌ１が徐々に上昇し、記録媒体Ｘがインクジェット用紙等の場合は、帯電圧Ｌ２の変化は小さく、記録媒体Ｘがコート紙の場合は、帯電圧Ｌ３が徐々に下降する傾向にある。
【００６２】
このことから、上流側イオン発生機２１及び中間イオン発生機２２は、上記初期帯電圧を維持するように、記録媒体Ｘに電荷を付与することになる。
例えば、帯電圧Ｌ１が上昇する場合は、電荷が正とならないように、負の電荷を付与する。また、帯電圧Ｌ２が変化しない場合は、電荷を付与しない。また、帯電圧Ｌ１が下降する場合は、電荷を付与しない、若しくは、正の電荷を付与することになる。
【００６３】
次に、上流側イオン発生機２１の制御方法について説明する。
図７は、本実施形態に係るインクジェット記録装置を用いた記録方法における上流側イオン発生機の制御方法を示すフローチャートである。
図７に示すように、上流側イオン発生機２１の制御方法においては、まず、制御手段に上述した初期帯電圧をセットし、その後、記録媒体Ｘの搬送を開始する。
なお、この制御手段は、ＣＰＵと、入出力インターフェースと、記録手段であるＲＡＭ及びＲＯＭと、外部コンピュータ等に対する通信手段と、ハードディスク等の内部記録部と、所定の外部記録媒体を用いるためのドライバとを有する一般的なものである。
【００６４】
上流側イオン発生機２１は、制御手段からの電荷付与指令に基づいて、上記初期帯電圧を維持するように、記録媒体Ｘに電荷を付与する。
次に、３箇所の第１静電気センサー３１は、１００ｍｓｅｃの間隔で記録媒体Ｘの帯電圧を測定し、３つの測定値からなる測定情報を制御手段に送信する。
次に、制御手段は、受信した測定情報から３つの測定値の平均値を算出する。
次に、制御手段は、当該平均値と、初期帯電圧とを比較し、記録媒体Ｘが適度な負の電荷の帯電量となるように、上流側イオン発生機２１が出力すべき電荷量を算出する。
次に、上流側イオン発生機２１は、制御手段からの算出した電荷量の電荷付与指令に基づいて、記録媒体Ｘに電荷を付与することになる。
【００６５】
この制御は、繰り返し行われる。
なお、記録媒体Ｘの搬送中に何らかのエラーが発生し、記録媒体Ｘの搬送を停止した場合は、制御手段への初期帯電圧のセットから再スタートする。
【００６６】
次に、中間イオン発生機２２の制御方法について説明する。
図８は、本実施形態に係るインクジェット記録装置を用いた記録方法における中間イオン発生機の制御方法を示すフローチャートである。
図８に示すように、中間イオン発生機２２の制御方法においては、上述した上流側イオン発生機２１の場合と同様に、制御手段に上述した初期帯電圧をセットする。なお、中間イオン発生機２２における初期帯電圧の値は、例えば、上流側イオン発生機２１における初期帯電圧の値と同じ値にすればよい。
【００６７】
中間イオン発生機２２は、制御手段からの電荷付与指令に基づいて、上記初期帯電圧を維持するように、記録媒体Ｘに電荷を付与する。
次に、３箇所の第２静電気センサー３２、３箇所の第３静電気センサー３３、３箇所の第４静電気センサー３４は、それぞれ、１００ｍｓｅｃの間隔で記録媒体Ｘの帯電圧を測定し、合計９つの測定値からなる測定情報を制御手段に送信する。
次に、制御手段は、受信した測定情報から９つの測定値の中の最大値を特定する。
次に、制御手段は、当該最大値と、初期帯電圧とを比較し、記録媒体Ｘが適度な負の電荷の帯電量となるように、中間イオン発生機２２が出力すべき電荷量を算出する。
次に、中間イオン発生機２２は、制御手段からの算出した電荷量の電荷付与指令に基づいて、記録媒体Ｘに電荷を付与することになる。
【００６８】
この制御は、繰り返し行われる。
なお、記録媒体Ｘの搬送中に何らかのエラーが発生し、記録媒体Ｘの搬送を停止した場合は、制御手段への初期帯電圧のセットから再スタートする。
【００６９】
このように、上記記録方法においては、記録媒体Ｘに適度な負の電荷を帯電させた状態で、記録部１，２，３，４により、インクの吹き付けが行われる。
このとき、記録方法は、帯電工程Ｓ１及び記録工程Ｓ２を備えるので、インクが記録媒体Ｘに引き付けられ、インク跳ねや記録ヘッドの汚染を防止することができ、高精度な記録も可能となる。
また、測定工程Ｓ３及び調整工程Ｓ４を更に備えており、その中でも、上流側イオン発生機２１及び中間イオン発生機２２に対して、上述したように制御を行うことにより、記録媒体の電荷の変化にも対応して安定した記録を継続することが可能となる。
【００７０】
以上、本発明の実施形態について説明したが、本発明は上記実施形態に限定されるものではない。
【００７１】
本実施形態に係るインクジェット記録装置１００は、上流側イオン発生機２１により、記録媒体Ｘに負の電荷を付与しているが、記録媒体を、負の電荷を帯電したものとする方法はこれに限定されない。例えば、他の物体と積極的に摩擦させたり、他の物体を近付けることにより、記録媒体に負の電荷を付与してもよい。
【００７２】
本実施形態に係るインクジェット記録装置１００は、記録媒体Ｘにインクを吹き付けるための複数の記録ヘッドからなる記録部１，２，３，４を有しているが、記録部の数は特に限定されない。
また、記録部が有する記録ヘッドの数も限定されない。
【００７３】
本実施形態に係るインクジェット記録装置１００において、各記録ヘッド１ａは、その全体が導電性材料から形成されているが、少なくとも、インクが流通する流路、及び、インクが吹き付けられるノズル部が導電性材料であり、これが導電性フレーム部１１等を介して接地されていればよい。
同様に、導電性フレーム部１１は、その全体が導電性材料から形成されているが、記録ヘッドとメイン導電線とを繋ぐ回路が形成されていてもよい。
【００７４】
本実施形態に係るインクジェット記録装置１００においては、記録ヘッドが、導電性フレーム部１１及びメイン導電線Ｃ１を介して、接地された基板１２に導通されることで、記録ヘッドを接地した状態としているが、導電性フレーム部１１が直接接地されていてもよい。すなわち、導電性フレーム部１１が直接接地されることで、それに導通する記録ヘッドを接地した状態としてもよい。
【００７５】
本実施形態に係るインクジェット記録装置１００においては、上流側イオン発生機２１が、直前案内ロールＲ１よりも上流側に配置されているが、下流側であってもよい。すなわち、上流側イオン発生機２１は、直前案内ロールと記録部１との間に配置されていてもよい。
【００７６】
本実施形態に係るインクジェット記録装置１００において、上流側イオン発生機２１及び中間イオン発生機２２は、負の電荷を付与しているが、仮に、記録媒体Ｘに負の電荷が溜まり過ぎている場合には、正の電荷を付与することも可能である。
【００７７】
本実施形態に係るインクジェット記録装置１００において、静電気センサー３１，３２，３３，３４は、記録媒体Ｘの裏面側の第１記録部１に対向する位置の１列目の記録ヘッド１ａと２列目の記録ヘッド１ａとの間に配置されているが、この位置に限定されない。
記録ヘッドの１列目の前、すなわち、記録部よりも上流側に設け、当該記録部による記録の前に記録媒体Ｘの帯電量を測定してもよく、記録ヘッドの４列目の後、すなわち、記録部よりも下流側に設け、当該記録部による記録の後の記録媒体Ｘの帯電量を測定してもよい。
【００７８】
本実施形態にインクジェット記録装置１００は、中間イオン発生機２２を備えているが、必ずしも必須ではない。
また、中間イオン発生機２２を設ける位置は、記録部１，２，３，４同士の間の記録媒体Ｘの裏面側に限定されない。
同様に、インクジェット記録装置１００は、第２静電気センサー３２、第３静電気センサー３３及び第４静電気センサー３４を備えているが、必ずしも必須ではない。また、配置する静電気センサーの数も特に限定されない。
【００７９】
図９は、他の実施形態に係るインクジェット記録装置を示す概略側面図であり、図１０は、他の実施形態に係るインクジェット記録装置の記録部に対する静電気センサーの位置を説明するための記録部の下方から見た説明図である。
図９及び図１０に示すように、他の実施形態に係るインクジェット記録装置１０１は、記録媒体Ｘを案内するための複数の案内ロールＲと、負の電荷を帯電した記録媒体Ｘと、記録媒体Ｘにインクを吹き付けるための複数の記録ヘッドからなる記録部１，２，３，４と、記録部１，２，３，４を収容する筐体Ｈと、記録ヘッドを支持するための図示しない導電性フレーム部１１と、記録ヘッドにコネクタを介して連結され、該記録ヘッドの駆動を制御するための図示しない基板と、記録媒体Ｘに負の電荷を付与するための上流側イオン発生機２１と、記録部１，２，３，４同士の間の記録媒体Ｘの裏面側に、記録媒体Ｘに負の電荷を付与するための中間イオン発生機２３と、記録媒体Ｘの裏面側に、記録媒体Ｘの帯電圧を測定するための第１静電気センサー３１とを備える。
すなわち、他の実施形態に係るインクジェット記録装置１０１においては、中間イオン発生機２３の配置位置が異なり、第２静電気センサー、第３静電気センサー及び第４静電気センサーを有していないこと以外は、本実施形態に係るインクジェット記録装置１００と同様である。
【００８０】
インクジェット記録装置１０１においては、第２記録部２と第３記録部３との間の記録媒体Ｘの裏面側に中間イオン発生機２３が設けられている。すなわち、第１記録部１〜第４記録部４の中間に設けられている。
この場合、第１記録部１の記録ヘッド１ａによる記録媒体Ｘへのインクの吹き付け、第２記録部２の記録ヘッド２ａによる記録媒体Ｘへのインクの吹き付け、及び、記録媒体Ｘの案内ロールＲや装置の一部との擦れに起因し搬送中の記録媒体Ｘの電荷に変化が生じたとしても、中間イオン発生機２３が負の電荷を付与することにより、再び、適度な負の電荷を帯びた記録媒体Ｘとすることができる。
また、中間イオン発生機２３が負の電荷を付与した後の記録媒体Ｘは、第３記録部３の記録ヘッド３ａによる記録媒体Ｘへのインクの吹き付け、第４記録部４の記録ヘッド４ａによる記録媒体Ｘへのインクの吹き付けによる影響を受けるのみであるので、第２静電気センサー、第３静電気センサー、第４静電気センサーを用いない場合は、効果的である。
なお、インクジェット記録装置１０１においては、第２静電気センサー３２、第３静電気センサー３３及び第４静電気センサー３４を備えていないので、上述したような中間イオン発生機２３の制御は行われず、イオン発生部２３ａが出力した電荷量を監視するためのセンサーのみで制御される。
【００８１】
本実施形態に係る記録方法における上流側イオン発生機２１の制御においては、制御手段が、受信した測定情報から３つの測定値の平均値を算出し、その値に基づいて、上流側イオン発生機２１が出力すべき電荷量を算出しているが、３つの測定値の中から最大値を特定し、その値に基づいて、上流側イオン発生機２１が出力すべき電荷量を算出してもよい。
同様に、中間イオン発生機２２の制御においては、制御手段が受信した測定情報から９つの測定値の中の最大値を特定し、その値に基づいて、中間イオン発生機２２が出力すべき電荷量を算出しているが、９つの測定値の平均値を算出し、その値に基づいて、中間イオン発生機２２が出力すべき電荷量を算出してもよい。
【産業上の利用可能性】
【００８２】
本発明は、インクを、搬送される記録媒体に吹き付けて記録するインクジェット記録装置として用いられる。
本発明のインクジェット記録装置によれば、インク跳ねや記録ヘッドの汚染を防止し、且つ、高精度な記録が可能となる。
【符号の説明】
【００８３】
１・・・第１記録部（記録部）
１００，１０１・・・インクジェット記録装置
１１・・・導電性フレーム部
１２・・・基板
１ａ，２ａ，３ａ，４ａ・・・記録ヘッド
１ｂ・・・コネクタ
２・・・第２記録部（記録部）
２１・・・上流側イオン発生機（イオン発生機）
２２，２３・・・中間イオン発生機（イオン発生機）
２２ａ，２３ａ・・・イオン発生部
３・・・第３記録部（記録部）
３１・・・第１静電気センサー（静電気センサー）
３２・・・第２静電気センサー（静電気センサー）
３３・・・第３静電気センサー（静電気センサー）
３４・・・第４静電気センサー（静電気センサー）
４・・・第４記録部（記録部）
４１・・・メインインク滴
４２・・・サテライト
４３・・・小滴
Ｙ・・・矢印
Ｃ１・・・メイン導電線
Ｃ２・・・サブ導電線
Ｈ・・・筐体
Ｈ１・・・下板
Ｌ１，Ｌ２、Ｌ３・・・帯電圧
Ｒ・・・案内ロール
Ｒ１・・・直前案内ロール（案内ロール）
Ｓ１・・・帯電工程
Ｓ２・・・記録工程
Ｓ３・・・測定工程
Ｓ４・・・調整工程
Ｘ・・・記録媒体
【図１】
2018183899.tif 000003
【図２（ａ）】
2018183899.tif 000004
【図２（ｂ）】
2018183899.tif 000005
【図３】
2018183899.tif 000006
【図４】
2018183899.tif 000007
【図５】
2018183899.tif 000008
【図６】
2018183899.tif 000009
【図７】
2018183899.tif 000010
【図８】
2018183899.tif 000011
【図９】
2018183899.tif 000012
【図１０】
2018183899.tif 000013